(57)【要約】【課題】      例えばハードディスクのような記憶媒体を、特に振動および衝撃ならびに圧力（気圧）変動および過熱現象から保護することのできる、少なくとも１つの記憶媒体を保持するための装置の提供。【解決手段】  少なくとも１つの記憶媒体１を保持するための装置は、内部に支持構造２が配置されるハウジング４を有する。支持構造２は、振動減衰装置３によって振動が減衰される状態でハウジング４に連結される。記憶媒体１は支持構造２に配置される。記憶媒体１は外気から気密に密閉される。冷却要素５は記憶媒体１を冷却するために設けられる。【選択図】    図１
2005267842.tif 000002
【特許請求の範囲】
【請求項１】
少なくとも１つの記憶媒体を保持する装置であって、
前記記憶媒体（１）をハウジング（４）に連結される支持構造（２）に配置するとともに、前記ハウジング（４）は前記支持構造（２）を包囲しており、
前記記憶媒体（１）は、振動減衰装置（３）によって振動が減衰される状態で、外気から気密に密閉されるとともに放熱用の冷却要素（５）を備える、少なくとも１つの記憶媒体を保持するための装置。
【請求項２】
コントローラ（１１）が前記支持構造（２）に配置される、請求項１記載の装置。
【請求項３】
前記振動減衰装置（３）は２つ以上の防振装置（３ａ）を有する、請求項１または請求項２記載の装置。
【請求項４】
前記防振装置はワイヤケーブル振動ダンパー（３ａ）である、請求項３記載の装置。
【請求項５】
前記ハウジング（４）は、航空機に接続されるアダプタ（１３）への取付手段（１２）を有する、請求項１〜請求項４何れか１項記載の装置。
【請求項６】
前記ハウジング（４）は、信号および／または供給電圧を伝達する／受け取るために、前記アダプタ（１３）の結合要素に接続可能な結合要素を有する、請求項５記載の装置。
【請求項７】
内部に前記記憶媒体（１）が配置される前記支持構造（２）は、気密である、請求項１〜請求項６何れか１項記載の装置。
【請求項８】
前記コントローラ（１１）は前記支持構造（２）の外側に配置される、請求項２または請求項７記載の装置。
【請求項９】
熱伝導要素（６）が、前記支持構造（２）の内側と前記記憶媒体（１）との間に配置される、請求項７または請求項８記載の装置。
【請求項１０】
前記熱伝導要素は伝熱マット（６）である、請求項９記載の装置。
【請求項１１】
前記支持構造（２）の外側には冷却リブ（７）が設けられる、請求項７〜請求項１０何れか１項記載の装置。
【請求項１２】
前記冷却要素（５）は、少なくとも前記支持構造（２）か、コントローラか、さらなるシステム構成要素の少なくとも何れかの外側を冷却する、請求項１〜請求項１１何れか１項記載の装置。
【請求項１３】
前記ハウジング（４）は、外気との対流のための空気口開口（８）を有する、請求項１〜請求項１２何れか１項記載の装置。
【請求項１４】
前記冷却要素は、前記ハウジング（４）の外側からの空気を前記ハウジング（４）に導入するファン（５）の形態である、請求項１〜請求項１３何れか１項記載の装置。
【請求項１５】
前記ファン（５）と前記支持構造（２）との間の空気流を制御するバッフルクロス（９）を備える、請求項１４記載の装置。
【請求項１６】
前記支持構造（２）によって形成される内部領域が、前記記憶媒体（１）の外形と実質的に一致する、請求項７〜請求項１５何れか１項記載の装置。
【請求項１７】
前記ハウジング（４）は気密である、請求項１〜請求項６何れか１項記載の装置。
【請求項１８】
前記支持構造（２）は、前記ハウジング（４）に封入されるガス媒体を前記記憶媒体（１）の周りに循環させることができる、請求項１７記載の装置。
【請求項１９】
前記冷却要素（５）は、前記ハウジング（４）内に配置されるファンである、請求項１７または請求項１８記載の装置。
【請求項２０】
前記ガス媒体の循環を制御するバッフルクロス（９）を備える、請求項１７〜請求項１９何れか１項記載の装置。
【発明の詳細な説明】
【技術分野】
【０００１】
本発明は、少なくとも１つの記憶媒体を保持するための装置に関する。
【背景技術】
【０００２】
一般的な従来技術によれば、記憶媒体、例えばハードディスクの形態の大容量記憶装置を配置するための装置は既知であり、この装置では、記憶媒体はハウジングに連結されるホルダに導入される。この場合、記憶媒体から読み出すまたは記憶媒体に書き込むためのヘッドが退避位置にあるならば、通常、衝撃、振動および揺動により記憶媒体が妨害されることはない。しかしながら、読み出しまたは書き込みのためにハードディスクヘッドが使用されるとすぐに、振動、揺動および／または衝撃により記憶媒体は損傷または破壊され得る。衝撃、揺動および振動には種々の原因があり、衝撃、揺動および振動は非常に幅広い異なる用途で生じる。この場合、通常これらの負荷は、記憶媒体が陸上車両、船舶または航空機で使用される場合に生じることが予想され、それらの負荷がかかっている間に情報を記憶媒体に書き込んだり記憶媒体から読み出さなければならない。
【０００３】
このような振動環境下で、さらに記憶媒体からデータを読出すまたは記憶媒体に書込むことを可能にするために、それに見合った高額な専用のハードディスクが既知である。この専用のハードディスクは、確かに衝撃、揺動、振動に対するある程度の耐久性を備えているものの、データ送信速度が低いものである。したがって、この場合の１つの欠点は、適切な送信速度を実現する標準規格の製品として市販されている簡単で低価格のハードディスクを使用できないことであり、そのためコストが何倍も増加する。
【０００４】
特に、記憶媒体がフライトデータレコーダであり、その目的が撮影飛行（photographic flight）中にデジタルカメラからの大量のデータを記憶することである場合にも、前述した専用のハードディスクが使用される。このデータは、例えば画像データ、ミッションデータ等の画像に関する補足データ、システム情報、または一般的な後処理情報であり得る。この場合、記憶媒体は一般的に「デジタルマッピングカメラ」用の大容量記憶装置である。
【０００５】
すべての記憶ユニットは航空機に機械的に固定され、すべての必要なケーブルに電気的に接続される。電気的および機械的に、すべてのフライトデータレコーダは画像データ接続部を介してデジタルカメラに接続される自律ユニットである。さらに、監視データ入力部、監視データ出力部および供給電圧入力部、供給電圧出力部および直列接続で構成される。
【０００６】
フライトデータレコーダは、飛行中に画像データを記憶する。着陸後、フライトデータレコーダは取外され、画像データが地上の大容量記憶装置にコピーされる。コピープロセスおよびそれに続くフォーマット後、フライトデータレコーダはさらなる撮影飛行に再び自由に利用することができる。
【発明の開示】
【発明が解決しようとする課題】
【０００７】
しかしながら、記憶媒体をフライトデータレコーダとして使用するこの場合の１つの欠点は、高度が高くなると記憶媒体の周囲の気圧が下がり、したがって記憶媒体が正しく動作するのに要する最小許容気圧より低い気圧が生じ得ることである。
【０００８】
記憶媒体を保持するための既知の装置では、ハードディスクに発生する熱を確実に放熱することができないという問題もある。
【０００９】
フライトデータレコーダとしての使用に関して述べた問題は、この分野だけではなく、記憶媒体が揺れの激しい環境で使用される他の分野でも生じる。例として、軍事分野、産業分野または当該技術分野内の用途における、そのコンテクスト（つまり振動環境下）での用途についても起こり得る問題である。
【００１０】
したがって、本発明は、少なくとも１つの記憶媒体を保持するための保持装置であって、従来技術の上記欠点を解決し、かつ記憶媒体を特に振動および衝撃ならびに圧力（気圧）変動および過熱現象から保護する、少なくとも１つの記憶媒体を保持するための装置の提供を目的としている。
【課題を解決するための手段】
【００１１】
本発明によると、この目的は、記憶媒体が、ハウジングに連結される支持構造に配置され、ハウジングが支持構造を包囲し、振動減衰装置によって振動が減衰される状態で、記憶媒体が外気から気密に密閉され、冷却要素が記憶媒体を冷却するために設けられることで達成される。
【００１２】
本発明による記憶媒体の配置により、記憶媒体が振動、揺動および衝撃から保護される。したがって、記憶媒体は比較的簡単で低コストの標準規格のハードディスクにすることができる。したがって、書込みか読出しの何れかに使用される、ハードディスクやハードディスクヘッドの何れかを、専用に製造する必要がなく、よってコスト効率を良くすることができる。記憶媒体は、支持構造を介して振動が減衰される状態で設けられるため、すべての振動減衰装置を取外すことなく記憶媒体を簡単に取り替えることができる。記憶媒体を変える場合、あるいは記憶媒体を修理のためにまたは容量が原因で取り替える場合も、振動減衰装置および支持構造は、そのままの状態にすることができる。この場合、振動減衰装置が動的に構成されるようにすることが有利である。
【００１３】
数値計算および数値実験により、好ましくは市販のワイヤケーブル振動ダンパーの形態である２つ以上の防振装置を有する振動減衰装置の改良が、衝撃および振動を減衰しかつ吸収するのに特に適することが示されている。
【００１４】
本発明による記憶媒体は、外気から気密に密閉されるため、これにより、例えば航空機で使用される場合に高度が変化しても、記憶媒体領域の圧力（気圧）が下がることを防ぎ、したがって記憶媒体が正しく動作することができなくなるような圧力（気圧）が生じる可能性を防ぐ。
【００１５】
さらにこれにより、低い適温で、記憶媒体の動作にとって許容できない相対湿度の増加を引き起こし得る水分が支持構造に溜まる可能性を防ぐことができる。
【００１６】
本発明による解決法は、記憶媒体の使用中に定期的に起こる、その記憶媒体の使用により発生する熱の冷却および放熱の問題も同様に解決する。この目的のために、外気から気密に密閉された記憶媒体を冷却する冷却要素が使用される。記憶媒体が外気から気密に密封されるように配置される場合、その記憶媒体を冷却することが特に重要であるが、その理由は、そうしなければ記憶媒体が過熱し、したがって損傷するのを確実に防ぐことができないためである。
【００１７】
本発明による装置は、２つ以上の記憶媒体を保持するためにも使用することができる。この目的のために、例えば２つ以上のハードディスクドライブを機械的および電気的に組み合わせて容易に交換できるユニットを形成して、支持構造に配置することができる。他の構成としては、２つ以上の支持構造を１つのハウジング内に配置することもできる。
【００１８】
支持構造を同様に、電気システム機器、例えば電力供給ユニット、インタフェース、コントローラまたはラピッドコントローラ等を保持するために使用することが有利である。実験では、振動および衝撃から保護される配置は、これらの電気システム機器にとっても有利であることが見出されている。
【００１９】
本発明による装置は、記憶媒体が航空機でフライトデータレコーダの構成要素として使用される場合に、画像データおよびさらなるデータを記憶するのに特に適している。内部に支持構造が記憶媒体とともに配置されるハウジングが、航空機に接続されるアダプタに取付けるための手段を有することが有利である。
【００２０】
本発明による装置を種々の航空機のタイプで簡単に使用することを可能にするためには、アダプタに取付けるためのハウジングの一実施形態が特に適することが見出されている。この場合、アダプタは航空機にしっかりと接続され得るため、本発明による装置およびハウジングは適切なガイドを与えられる。この場合、生じる衝撃、揺動および振動は、支持構造とハウジングとの間の振動減衰装置によって吸収されるため、ハウジングが耐衝撃性でありかつ振動から保護されるようにハウジングを配置する必要がない。この場合、信号か供給電圧の何れかを、伝達するか受け取るために、ハウジング４がアダプタ１３の結合要素に接続できる結合要素を有することが有利である。
【００２１】
これにより、ハウジング内に位置する記憶媒体またはさらなるシステムモジュールと、例えばデジタルカメラまたは車両電源システムにつながるケーブル接続部との間で、特に簡単にかつ有利に電気的接触がなされる。この場合、上記ケーブル接続部との電気的接触は、ハウジングをアダプタに機械的に固定することで同時になされることが有利である。振動減衰装置が、ハウジングがアダプタに導入されることで生じる衝撃を補償すなわち吸収することも有利である。
【００２２】
数値計算および数値実験により、内部で記憶媒体が気密であるように構成される支持構造が特に適切であることが示されている。
【００２３】
これは、例えば支持構造が耐圧または気密ハウジングであることで達成することができる。したがって、記憶媒体は、簡単な形態で気密封入されるため、例えば航空機の飛行高度が変化する場合に生じる圧力（気圧）変動と無関係である。
【００２４】
本発明の改良では、この場合、支持構造を或る規定の大きさまで開くことができる手段を支持構造に設けて、（外気の圧力レベルが支持構造内部の圧力レベルより高い場合は）空気が支持構造へ流れるようにすることを可能にすることができる。これは原則として、支持構造が気密であるように構成されるにも関わらず、支持構造と外気との間で或る量の圧力損失が生じるのを防ぐことができないためである。実験から、圧力差が異なるため、高い高度で使用される場合は、単位時間当たり支持構造から流れ出る空気は、その時に支持構造に流れて戻ってくる空気よりも多い。この場合、極めて低い内部圧力を支持構造の画定された開口によって調整する。
【００２５】
一般的な従来技術から既知である乾燥剤カートリッジは、ガス交換中に支持構造の外側から内側へ移行して記憶媒体に悪影響を与え得る水分をなくすために使用することができる。
【００２６】
支持構造の気密改良では、コントローラを支持構造の外側に配置して備えることができる。
【００２７】
コントローラおよびさらなるシステム構成要素は気密な支持構造内に配置することもできる。しかしながら、このことは、圧力安定性を要するシステム構成要素に対してのみ価値があるか、または該システム構成要素に対して非常に有利な効果がある。
【００２８】
さらに、本発明の一構成改良では、熱伝導性要素を支持構造の内側と記憶媒体との間に配置して備えることができる。記憶媒体によって生じる熱は、熱伝導要素によって簡単に支持構造へ素早くかつ確実に放散される。この場合、熱伝導要素は、例えば伝熱マットであってもよい。
【００２９】
支持構造の外側に冷却リブを備えることが有利である。
【００３０】
実験により、冷却リブを備える支持構造の改良は、支持構造から外気への放熱を特に有利に行える。
【００３１】
冷却要素は主に、支持構造か、コントローラか、さらなるシステム構成要素の少なくとも何れかの外側を冷却するのに使用されるように配置または挿入されると有利である。この場合、冷却要素は、ハウジングの外側からの空気をハウジングへ導入または吸い込むファンとすることができる。この場合、ハウジングは外気との対流のための空気口開口を有する。この場合、支持構造か、コントローラか、さらなる構成要素の少なくとも何れかを包囲し、ファンによって生じる空気流がそれらを意図的に流れて通ることができる空気誘導板を使用することが有利であることも見出されている。
【００３２】
空気流を制御するために、ファンと、支持構造か、コントローラか、さらなるシステム構成要素の少なくとも何れかの間にバッフルクロスを備えることが有利であることも見出されている。この場合、バッフルクロスは、例えば繊維バッフルクロス（textile baffle cloth）であってもよく、ファンが効果のない領域へ空気流を供給することを防ぐ。バッフルクロスは、空気流を、放熱を必要とする領域に意図的に送ることを可能にする。
【００３３】
支持構造を気密にした実施形態の代替として、本発明の一構成改良では、ハウジングが気密であるようにすることもできる。この場合、支持構造は、ハウジングに封入されたガス媒体（例えば空気）を記憶媒体の周りに循環することができるように構成することができる。これは、ある特定の用途に有利であると考えられ得る一実施形態である。
【００３４】
しかしながら、一般的に実験により、支持構造の内部が収納すべき記憶媒体とできるだけ十分に一致する気密構成が特に適することが示されている。ハウジングを気密にした実施形態は、発熱要素を直接冷却するための外部冷気を使用することができないという欠点を有する。熱を気密ハウジングに放出し、その後、気密ハウジングから外部環境へ熱を放散する場合には、気密ハウジングに収容されるシステム構成要素をただ単に、受動的にしか冷却することができない。この場合、冷却要素、例えばファンを気密ハウジング内に配置することによって、能動的に冷却を高めることができる。この場合、冷却要素は気密ハウジング内でガス媒体を循環するために使用することができ、したがってハウジングへの放熱を高めることができる。この場合、バッフルクロス、好ましくは繊維バッフルクロスをガス媒体の循環を制御するのに使用してもよく、それによって、発熱するシステム構成要素、好ましくは記憶媒体が気密ハウジング内でファンによって冷却される。
【００３５】
本発明の有利な改良および発展は他の従属請求項に見出すことができる。
【発明を実施するための最良の形態】
【００３６】
本発明の一実施形態を、図面を参照して説明する。
【００３７】
図１は、本発明による、少なくとも１つの記憶媒体１を保持するための装置を示す。本実施形態の記憶媒体１は、ハードディスク記憶装置である。ハードディスク記憶装置は、撮影飛行中にデジタルカメラから得たデータを記憶するのに使用される。一般的な従来技術として、このようなデータを記録するデジタルカメラは既知であるため、ここでは詳細に説明しない。原則として、本発明による装置は、確実に記憶媒体に対するデータの書込みと読出しが必要な、幅広い様々な分野での使用に適する。本発明による装置は、記憶媒体からのデータ読出しの間または記憶媒体へのデータ書込みの間に、その記憶媒体が衝撃、振動、揺動および／または圧力変動を受けやすい技術分野での使用に適する。
【００３８】
その一例として、以下で説明する本実施形態では、航空機で画像データを記録するために使用されるフライトデータレコーダでの用途を示す。
【００３９】
一般的な従来技術から、下記の実施形態に含まれる要素の幾つかは既知であるため、以下の説明では本発明にとって重要なそれらの要素の特徴のみを詳細に説明する。
【００４０】
以下の実施形態における記憶媒体は、市販のハードディスク１である。
【００４１】
図１からわかるように、ハードディスク１は、支持構造２に配置され、振動減衰装置３によって振動が減衰される状態とされる。そして、支持構造２は、支持構造２を包囲するハウジング４に連結される。ハードディスク１は、外気から気密に密閉されるが、この点は詳細に説明しない。冷却要素５はハードディスクを冷却するのに設けられる。図１に示すようなハードディスク１の気密な、すなわち圧力分離した（pressure-isolated）配置は、支持構造２が気密であることによって提供される。支持構造２はハードディスク１の外形寸法と実質的に一致する内部領域を有する。支持構造２の内側とハードディスク１との間には、熱伝導要素６を備えている。図１では、この場合、熱伝導要素は伝熱マット６（熱伝導性マット６）である。ハードディスク１の動作中に生じる熱は、ハードディスク１から伝熱マット６を介して素早くかつ確実に移行され、支持構造２へ伝わる。その吸収された熱は支持構造２から外部へ放出される。支持構造２の外側には冷却リブ７を備えている。この冷却リブ７によって支持構造２の表面積が大きくなり、支持構造２の表面から熱を素早く放熱するプロセスを促進することができる。
【００４２】
図１では、冷却要素５は本質的に支持構造２の外側を冷却することを意図している。本実施形態における冷却要素は、ハウジング４に取付けられたファン５である。ファン５は、通気に要する空気をハウジング４の外側の外気から引込む。引込まれた空気は、ファン５から支持構造２の方向に進む、すなわち吹き抜ける（ventilated）ため、空気は支持構造２のできるだけ広い表面積を通って流通するようになっている。外気との対流のために、ハウジング４は空気口開口８とともにファン５の吸入口を有する。ファン５と支持構造２との間の空気流を制御するために、繊維バッフルクロス９が設けられる。繊維バッフルクロス９は、支持構造２がファン５によって生じる空気流の中間に位置するように引き伸ばされる。繊維バッフルクロス９に加えて、図１で示される実施形態では、同様にファン５によって生じる空気流が、支持構造２上を適切な通気路を通って進むようにするための誘導板１０も備える。この場合、図１で示すように、繊維バッフルクロス９がファン５と誘導板１０との間で引き伸ばされる。
【００４３】
誘導板１０は、支持構造２の冷却リブ７上に設けられるか、または冷却リブ７に隣接して設けられる。このため、誘導板１０および冷却リブ７が通気路を形成し、その通気路を通って、ファン５によって生じる空気流が流れて支持構造２の外側を冷却することができる。
【００４４】
図１からわかるように、コントローラ１１が支持構造２の外側に配置される。コントローラ１１に加えて、さらなるシステム構成要素も或る方法（詳細に説明されない）で支持構造２の外側に配置してもよい。また、システム構成要素は、支持構造２の気密な内部に配置することもできる。
【００４５】
図１からわかるように、ファン５は、支持構造２の外側に加えてコントローラ１１も冷却するように調整される。したがって、コントローラ１１は、誘導板１０の内部に形成される１つの大きい通気路内に配置される。図１で示す矢印は、空気流の１つの考えられる通気路を示す。
【００４６】
図１および図５からわかるように、振動減衰装置３は２つ以上の防振装置３ａを有する。例示の実施形態における防振装置は、市販のワイヤケーブル振動ダンパー３ａである。この場合、これらのワイヤケーブル振動ダンパー３ａは、ハードディスク１または支持構造２がハウジング４内で吊り下げられるように配置される。
【００４７】
また、図１からわかるように、ハウジング４は、航空機に接続されるアダプタ１３に対する取付手段１２を有する。この場合、本発明は、信号および／または供給電圧を伝達する／受け取るために、或る方法（詳細に説明しない）で、ハウジング４がアダプタ１３の結合要素に接続できる結合要素を有するようにも提供することができる。
【００４８】
図１では、ファン５は、引込まれた空気を清浄するためにエアフィルタ１４を有する。
【００４９】
図２は、揺動および振動が減衰される状態で、支持構造２をハウジング４（図２で図示されない）に連結するために、支持構造２の外側に８つのワイヤケーブル振動ダンパー３ａを備えることを示す図である。この場合、コントローラ１１は、支持構造２の１つの外面に配置される。図１で既に基本的に示したように、支持構造２は冷却リブ７を有する。支持構造２およびコントローラ１１は２枚の誘導板１０によって包囲されるため、冷却リブ７とともに、それに対応する冷却用の通気路を形成し、その通気路を通ってファン５によって生じる空気流を流すことができる（図２に示さず）。
【００５０】
図３は、図２で示す支持構造２の図を示し、支持構造２の片方が取り外されており、支持構造２の内部が示されるようになっている。図３で示す例示的な実施形態では、支持構造２の内部に２つのハードディスク１が配置される。この場合、ハードディスク１は、冷却リブ７を備える支持構造２の外側に面するハードディスク１の表面積ができるだけ大きくなるように配置される。既に述べた伝熱マットの形態の熱伝導要素６は、ハードディスク１と支持構造２の内側との間に配置される。
【００５１】
支持構造２は実質的に、２つ以上のネジで互いに連結可能な２つの半割体で構成される。支持構造２の２つの半割体は、実質的に分割シェルである。シール１５が支持構造２の２つの分割シェルの間に配置され得る。これにより、内部に２つのハードディスク１を配置することができる十分に気密な支持構造２となる。
【００５２】
図４は、ハウジング４およびアダプタ１３についての、１つの考えられる改良（他の実施形態）を示す。図４で示すように、ハウジング４をアダプタ１３に連結するための手段１２は、レバー１２によって形成され、このレバー１２によってハウジング４をアダプタ１３に固定することができる。必要であれば、この場合、レバー１２はさらなる取付要素および／またはロック要素によって支持することができる。ハウジングにはハンドル１６を備えており、ハンドル１６によって簡単に、ハウジング４をアダプタ１３に挿入することができ、かつアダプタ１３から再び取外すことができる。このような改良は、本発明による、航空機で画像データを保持するための装置の使用に特に適するが、その理由は、このような装置は、ハードディスク１を読出せるようにするために頻繁に取外さなければならないためである。
【００５３】
図５は、図１で示す代替的な改良（他の実施形態）を示す。図１および図５と同じ参照符号で示す要素は同じ機能を有し、図１とは対照的に図５のハウジング４が気密であるという相違点を除いて、類似におよび／または同一に構成される。
【００５４】
図５の場合、支持構造２は、ハウジング４に封入されるガス媒体（例えば空気）がハードディスク１の周りを循環するのを可能にする。この場合、ハウジング４に配置される他のシステム要素、例えばコントローラ１１が、ハウジング４に封入されるガス媒体が循環することによって、冷却されるように設けられる。ファンの形態の冷却要素５がハウジング４に配置される。繊維バッフルクロス９が図１と同様にハウジング４内に設けられ、できるだけそのガス媒体の流れがハウジング４に収容されるそれらの要素をすべて、特に発熱しがちなハードディスク１の周りを通って冷却するように、ガス媒体の循環を制御することが意図される。
【００５５】
図５でわかるように、ファン５は、内部にハードディスク１が配置される支持構造２の内部からガス媒体を活発に吸い込むように支持構造２の外側に配置される。繊維バッフルクロス９は、支持構造２の内部から吸い出されたガス媒体を偏向させ、支持構造２のファン５とは反対側の領域へ送る。支持構造２に設けられた適切な開口により、ハードディスク１を冷却するためにガス媒体が再び支持構造２の内部へ流れることができる。図５で示す矢印は、１つの基本的に考えられるかつ有利な通気路を示す。バッフルクロス９およびファン５により、支持構造２の内部全体に（したがってハードディスク１も同時に）一定流量のガス媒体が生じる。ファン５、支持構造２の内部に収容されるシステム構成要素（ハードディスク１、コントローラ１１等）、およびガス媒体の通気路は、熱がハウジング４へできるだけ多く伝わるように配置される。熱はハウジング４から周囲領域へ放出される。これにより冷却される。
【００５６】
本発明による解決法は、記憶媒体の圧力分離および振動減衰した取付けに特に適する。しかしながら、開発中、本発明による解決法の記憶媒体ではなく、そのような保持が有利であり得る他のシステム要素を使用することもできる。
【図面の簡単な説明】
【００５７】
【図１】気密な支持構造内に配置される記憶要素を備える、本発明の一実施形態による装置の概略図である。
【図２】外側に取り付けられたコントローラ、空気誘導板、および図示されないハウジングに取り付けるための振動減衰装置を備える支持構造の斜視図である。
【図３】ハードディスクの形態の２つの記憶媒体を備える支持構造の内部図である。
【図４】内部に本発明による装置のためのハウジングが挿入されているアダプタの斜視図である。
【図５】ハウジングが気密である、図１で図示された装置に対する、本発明による解決法の代替的な一改良（他の実施形態）を示す図である。
【図１】
2005267842.tif 000003
【図２】
2005267842.tif 000004
【図３】
2005267842.tif 000005
【図４】
2005267842.tif 000006
【図５】
2005267842.tif 000007